(57)【要約】【課題】個人各々の好みの出力形式にて測定結果の情報を得ることができる個人別出力形式カスタマイズ機能付き身体測定装置を提供する。【解決手段】個人別出力形式カスタマイズ手段３において出力形式を予め個人別にカスタマイズし、個人別測定開始手段１において測定を開始し、身体測定手段２において個人別に身体指標の測定をし、個人別測定結果出力手段４においてこの予め個人別にカスタマイズされた出力形式による個人別の身体指標の測定結果を出力する。【選択図】図１
2008104849.tif 000002
【特許請求の範囲】
【請求項１】
個人別に身体指標の測定を開始する個人別測定開始手段と、
前記個人別測定開始手段による開始に基づいて個人別に身体指標の測定をする身体測定手段と、
前記身体測定手段による測定で得られる個人別の身体指標の測定結果について、出力形式を個人別にカスタマイズする個人別出力形式カスタマイズ手段と、
前記個人別出力形式カスタマイズ手段により個人別にカスタマイズされた出力形式によって、前記身体測定手段による測定で得られた個人別の身体指標の測定結果を出力する個人別測定結果出力手段と、
を備える個人別出力形式カスタマイズ機能付き身体測定装置。
【請求項２】
前記個人別測定開始手段は、複数から成り個別に作動する測定開始キーと、前記測定開始キーの各々の作動に基づいて個人各々の身体指標の測定を開始する測定開始制御部とから成り、
前記個人別出力形式カスタマイズ手段は、個人各々が利用する測定開始キーと個人各々の好みの出力形式とについて設定する設定キーと、前記設定キーにより設定した個人各々が利用する測定開始キーと個人各々の好みの出力形式とを対応付けた関係に設定する対応関係設定制御部と、前記対応関係設定制御部により設定した個人各々が利用する測定開始キーと個人各々の好みの出力形式とを対応付けた関係について記憶する対応関係記憶部とから成り、
前記個人別測定結果出力手段は、前記対応関係記憶部に記憶した個人各々が利用する測定開始キーと個人各々の好みの出力形式とを対応付けた関係から、前記測定開始制御部により身体指標の測定を開始する基因となった測定開始キーに対応する出力形式を選択し、前記選択した出力形式でもって身体指標の測定結果の出力の制御する測定結果出力制御部と、前記測定結果出力制御部による制御に基づいて身体指標の測定結果の出力する測定結果出力部とから成る、
ことを特徴とする請求項１記載の個人別出力形式カスタマイズ機能付き身体測定装置。
【請求項３】
前記出力形式には、表示項目または／および発声項目を含み、
前記身体測定手段は、前記設定キーによって設定した表示項目または／および音声項目に係る身体指標だけについて測定を行う、
ことを特徴とする請求項２記載の個人別出力形式カスタマイズ機能付き身体測定装置。
【発明の詳細な説明】
【技術分野】
【０００１】
本発明は、複数の者の身体に関して個人別に測定し、個人別に応じた出力形式にて測定結果を出力する個人別出力形式カスタマイズ機能付き身体測定装置に関する。
【背景技術】
【０００２】
複数の者によって利用可能である身体測定装置は、個人別に対応付けた複数の個人キーを備え、この個人キーの作動によって、被測定者の身体を測定し、その測定結果（測定値やグラフや設定登録されている身体的特徴）を、どの個人キーによる作動によろうとも、同一の表示形式で表示するものであった（例えば、特許文献１参照）。
【特許文献１】特開２００１−２０４７０３号公報
【発明の開示】
【発明が解決しようとする課題】
【０００３】
しかしながら、従来の身体測定装置は、測定結果について、誰が利用しようとも同一の表示形式で表示するものであるため、利用者にとっては、表示される文字が小さくて見づらかったり、表示される情報に不必要な情報が含まれていて認識しにくかったり、他人の個人キーを用いて測定しても気がつかなかったりするという問題があった。
【０００４】
そこで、本発明は、上記のような従来の問題点を解決することを目的とするもので、個人各々の好みの出力形式にて測定結果の情報を得ることができる個人別出力形式カスタマイズ機能付き身体測定装置を提供することを課題とする。
【課題を解決するための手段】
【０００５】
本発明の個人別出力形式カスタマイズ機能付き身体測定装置は、個人別に身体指標の測定を開始する個人別測定開始手段と、前記個人別測定開始手段による開始に基づいて個人別に身体指標の測定をする身体測定手段と、前記身体測定手段による測定で得られる個人別の身体指標の測定結果について、出力形式を個人別にカスタマイズする個人別出力形式カスタマイズ手段と、前記個人別出力形式カスタマイズ手段により個人別にカスタマイズされた出力形式によって、前記身体測定手段による測定で得られた個人別の身体指標の測定結果を出力する個人別測定結果出力手段と、を備える。
【０００６】
また、前記個人別測定開始手段は、複数から成り個別に作動する測定開始キーと、前記測定開始キーの各々の作動に基づいて個人各々の身体指標の測定を開始する測定開始制御部とから成り、前記個人別出力形式カスタマイズ手段は、個人各々が利用する測定開始キーと個人各々の好みの出力形式とについて設定する設定キーと、前記設定キーにより設定した個人各々が利用する測定開始キーと個人各々の好みの出力形式とを対応付けた関係に設定する対応関係設定制御部と、前記対応関係設定制御部により設定した個人各々が利用する測定開始キーと個人各々の好みの出力形式とを対応付けた関係について記憶する対応関係記憶部とから成り、前記個人別測定結果出力手段は、前記対応関係記憶部に記憶した個人各々が利用する測定開始キーと個人各々の好みの出力形式とを対応付けた関係から、前記測定開始制御部により身体指標の測定を開始する基因となった測定開始キーに対応する出力形式を選択し、前記選択した出力形式でもって身体指標の測定結果の出力の制御する測定結果出力制御部と、前記測定結果出力制御部による制御に基づいて身体指標の測定結果の出力する測定結果出力部とから成る、ことを特徴とする。
【０００７】
また、前記出力形式には、表示項目または／および発声項目を含み、前記身体測定手段は、前記設定キーによって設定した表示項目または／および音声項目に係る身体指標だけについて測定を行う、ことを特徴とする。
【発明の効果】
【０００８】
本発明の個人別出力形式カスタマイズ機能付き身体測定装置は、個人別出力形式カスタマイズ手段（設定キー、対応関係設定制御部及び対応関係記憶部）において出力形式を予め個人別にカスタマイズし、個人別測定開始手段（測定開始キー及び測定開始制御部）において測定を開始し、身体測定手段において個人別に身体指標の測定をし、個人別測定結果出力手段（測定結果出力制御部及び測定結果出力部）においてこの予め個人別にカスタマイズされた出力形式による個人別の身体指標の測定結果を出力するため、個人各々の好みの出力形式にて測定結果の情報を得ることができる。
【０００９】
また、身体測定手段が設定キーによって設定した表示項目または／および音声項目に係る身体指標だけについて測定するため、各々に必要最低限の測定時間で行うことができ、測定中のイライラなどを防止することができる。
【発明を実施するための最良の形態】
【００１０】
図１に示す機能的ブロック図を用いながら、本発明に係わる個人別出力形式カスタマイズ機能付き身体測定装置の形態について説明する。本発明の個人別出力形式カスタマイズ機能付き身体測定装置は、個人別測定開始手段１、身体測定手段２、個人別出力形式カスタマイズ手段３及び個人別測定結果出力手段４から構成し、複数の者の身体に関して個人別に測定し、個人別に応じた出力形式にて測定結果を出力する。
【００１１】
個人別測定開始手段１は、個人別に身体指標の測定を開始する。換言すると、身体指標の測定のために個別に起動する複数の起動装置から成る。なお、本件において、身体指標とは、身体における形態、成分、状態などについて示す指標（例えば、体重、体脂肪、内臓脂肪、筋肉、体水分、基礎代謝、骨、体内年齢、血圧、身長に関する値など）のことをいう。
【００１２】
身体測定手段２は、個人別測定開始手段１による個人別の身体指標の測定の開始に基づいて個人別に身体指標の測定をする。換言すると、各々の起動装置の起動を基因として個人各々の身体指標の測定をする。
【００１３】
個人別出力形式カスタマイズ手段３は、身体測定手段２による測定で得られる個人別の身体指標の測定結果について、出力形式を個人別にカスタマイズする。換言すると、各々の起動装置の起動に基因する測定によって得られる個人各々の身体指標の測定結果の出力形式を個人各々の好みの様式に設定する。
【００１４】
個人別測定結果出力手段４は、個人別出力形式カスタマイズ手段３により個人別にカスタマイズされた出力形式によって、身体測定手段２による測定で得られた個人別の身体指標の測定結果を出力する。換言すると、個人各々の好みの様式に設定された出力形式によって、各々の起動装置の起動に基因する測定によって得られた各々の身体指標の測定結果を出力する。
【００１５】
このように構成した個人別出力形式カスタマイズ機能付き身体測定装置によると、個人別出力形式カスタマイズ手段３において出力形式を予め個人別にカスタマイズし、個人別測定開始手段１において測定を開始し、身体測定手段２において個人別に身体指標の測定をし、個人別測定結果出力手段４においてこの予め個人別にカスタマイズされた出力形式による個人別の身体指標の測定結果を出力するため、個人各々の好みの出力形式にて測定結果の情報を得ることができる。
【００１６】
以下、上述した形態における実施例について具体的に説明する。
【実施例１】
【００１７】
まず、図２に示す外観図、図３に示す要部ブロック図を主として用いながら、本実施例における個人別出力形式カスタマイズ機能付き身体測定装置５１の具体的な構成について説明する。
【００１８】
本実施例１における個人別出力形式カスタマイズ機能付き身体測定装置５１は、ベース１１と載せ台１２を外体とする内部に、電力供給部１３、電流供給部１４、電圧検出部１５、荷重検出部１６、記憶部１７（対応関係記憶部１７ａ）、音声部１９及び演算・制御部２０（測定開始制御部２０ａ、対応関係設定制御部２０ｂ、測定結果出力制御部２０ｃ）を備え、また、載せ台１２の外面に、設定キー２１、測定開始キー２２、表示部１８、通電用電極２３及び測定用電極２４を備える。
【００１９】
電力供給部１３は、本装置の電気系統各部に電力を供給する。
【００２０】
設定キー２１は、選択キー２１ａと確定キー２１ｂとから成り、設定のために電力供給部１３に対して電力供給を開始させ、個人各々が利用する測定開始キーと個人各々の好みの出力形式とについて設定する。また、個人各々の身体的特徴についても設定する。より具体的には、測定開始キーの設定は、割当番号（Ｎｏ.１〜５.）について選択・確定することにより行う。また、出力形式の設定は、表示の有無、音声の有無について選択・確定し、表示有りの場合には、文字サイズ（大、中、小）、文字色（黒、赤、青、橙、緑）、装飾（有無、有りの場合には装飾ａ〜ｄ）、表示項目（体脂肪率、体重、内臓脂肪レベル、筋肉量、体水分量、基礎代謝量、骨量、体内年齢）、言語（日本語、英語、仏語、独語、中国語、韓国語）、グラフ（折れ線、棒）、アドバイス（有無）について選択・確定し、音声の有りの場合には、声量（大、中、小）、性別（男性、女性）、言語（日本語、英語、仏語、独語、中国語、韓国語）、音声項目（体脂肪率、体重、内臓脂肪レベル、筋肉量、体水分量、基礎代謝量、骨量、体内年齢）について選択・確定することにより行う。更に、身体的特徴の設定は、性別（男性、女性）、年齢（０〜１００歳）、身長（１０〜２５０ｃｍ）について選択・確定することにより行う。
【００２１】
測定開始キー２２は、複数２２ａ、２２ｂ、２２ｃ、２２ｄ、２２ｅから成り、個別に作動するものであって、この個別の作動に基因して測定のために、電力供給部１３に対して電力供給を開始させる。
【００２２】
電流供給部１４は、演算・制御部２０からの制御に基づき、身体に通電するために通電用電極間に電流を発生する。電圧検出部１５は、通電用電極間に電流を流した際に測定用電極間に生ずる電圧を検出する。
【００２３】
通電用電極２３は、対２３ａ、２３ｂを成し、身体に電流を流すための端子である。測定用電極２４は、対２４ａ、２４ｂを成し、通電用電極間に電流を流した際に生ずる電圧を検出するための端子である。
【００２４】
荷重検出部１６は、重量センサ、電圧増幅器、Ａ／Ｄ変換器から成り、被測定者が載せ台１２に乗った際に作用する荷重（体重）に基づいて生ずる電圧を検出する。
【００２５】
表示部１８は、設定キー２１により設定する際における設定に関する事項について表示したり、演算・制御部２０により演算された身体指標（体重値、体脂肪率、内臓脂肪レベル、筋肉量、体水分量、基礎代謝量、骨量、体内年齢）の測定結果について設定されている出力形式でもって表示したりする。
【００２６】
音声部１９は、演算・制御部２０により演算された身体指標（体重値、体脂肪率、内臓脂肪レベル、筋肉量、体水分量、基礎代謝量、骨量、体内年齢）の測定結果について設定されている出力形式でもって発声する。
【００２７】
なお、表示部１８及び音声部１９によって測定結果出力部２５を構成する。
【００２８】
記憶部１７は、対応関係記憶部１７ａを兼ねると共に、設定・測定・演算・表示などにおける諸情報について記憶する。
【００２９】
対応関係記憶部１７ａは、後述する対応関係設定制御部２０ｂにより設定した個人各々が利用する測定開始キー２２と個人各々の好みの出力形式とを対応付けた関係、及び個人各々が利用する測定開始キー２２と個人各々の身体的特徴とを対応付けた関係について記憶する。
【００３０】
演算・制御部２０は、測定開始制御部２０ａ、対応関係設定制御部２０ｂ及び測定結果出力制御部２０ｃを兼ねると共に、（i）設定キー２１による身体的特徴の設定の制御をし、（ii）電流供給部１４から発生した電流と電圧検出部１５によりその際に検出した電圧とに基づいて生体インピーダンスを演算し、またその制御をし、（iii）荷重検出部１６からの検出信号に基づいて体重を演算し、またその制御し、（iv）個人各々が利用する測定開始キー２２と個人各々の身体的特徴とを対応付けた関係から、測定開始制御部２０ａにより身体指標の測定を開始する基因となった測定開始キー２２に対応する身体的特徴を選択し、この選択した身体的特徴と演算した生体インピーダンスとに基づいて、身体指標（体重値、体脂肪率、内臓脂肪レベル、筋肉量、体水分量、基礎代謝量、骨量、体内年齢）を演算し、またその制御をし、（v）その他諸情報等について演算及び制御をする。
【００３１】
測定開始制御部２０ａは、測定開始キー２２の各々の作動に基づいて個人各々の身体指標の測定を開始する。対応関係設定制御部２０ｂは、設定キー２１により設定した個人各々が利用する測定開始キー２２と個人各々の好みの出力形式とを対応付けた関係に設定し、また、個人各々が利用する測定開始キー２２と個人各々の身体的特徴とを対応付けた関係に設定する。測定結果出力制御部２０ｃは、対応関係記憶部１７ａに記憶した個人各々が利用する測定開始キー２２と個人各々の好みの出力形式とを対応付けた関係から、測定開始制御部２０ａにより身体指標の測定を開始する基因となった測定開始キー２２に対応する出力形式を選択し、選択した出力形式でもって身体指標の測定結果の出力の制御する。
【００３２】
なお、測定開始キー２２及び測定開始制御部２０ａによる構成は、個人別測定開始手段１に該当する。また、設定キー２１、対応関係設定制御部２０ｂ及び対応関係記憶部１７ａによる構成は、個人別出力形式カスタマイズ手段３に該当する。更に、測定結果出力制御部２０ｃ及び測定結果出力部２５による構成は、個人別測定結果出力手段４に該当する。
【００３３】
次に、図４に示す設定フローチャートを主として用いながら、本実施例１における個人別出力形式カスタマイズ機能付き身体測定装置５１の操作及び動作について説明する。
【００３４】
まず、確定キー２１ｂがオンされると電力供給部１３において各電気系統各部に電力を供給し、表示部１８において図６に示されるような測定開始キー設定画面を表示する。測定開始キー設定画面においては、演算・制御部２０による制御に基づいて、カーソルを測定開始キーの割当番号欄に位置し、選択キー２１ａがオンされる毎に「１」から「５」まで順次数値を切替え、確定キー２１ｂがオンされるとカーソルに表示している「１」から「５」までのいずれかの数値を確定する（ステップＳ１）。
【００３５】
続いて、表示部１８において図７に示されるような身体的特徴設定画面を表示する。身体的特徴設定画面においては、演算・制御部２０による制御に基づいて、まず、カーソルを性別欄に位置し、選択キー２１ａがオンされる毎に「女性」又は「男性」に交互に切替え、確定キー２１ｂがオンされるとカーソルに表示している「女性」又は「男性」を確定し、カーソルを年齢欄に移動する。次いで、選択キー２１ａがオンされる毎に「０」から「１００」まで順次数値を切替え、確定キー２１ｂがオンされるとカーソルに表示している「０」から「１００」までのいずれかの数値を確定し、カーソルを身長欄に移動する。次いで、選択キー２１ａがオンされる毎に「１０」から「２５０」まで順次数値を切替え、確定キー２１ｂがオンされるとカーソルに表示している「１０」から「２５０」までのいずれかの数値を確定する。そして、記憶部１７において、これら確定した身体的特徴の内容を記憶する（ステップＳ２）。
【００３６】
続いて、表示部１８において図８に示されるような出力形式設定画面を表示する。出力形式設定画面においては、演算・制御部２０による制御に基づいて、まず、カーソルを表示欄に位置し、選択キー２１ａがオンされる毎に「有」又は「無」に交互に切替え、確定キー２１ｂがオンされるとカーソルに表示している「有」又は「無」を確定する。そして、「有」の場合にはカーソルを文字サイズ欄に移動し、一方、「無」の場合にはカーソルを音声欄に移動する。
【００３７】
次いで、文字サイズ欄にカーソルを移動した場合には、選択キー２１ａがオンされる毎に「大」、「中」又は「小」に順次切替え、確定キー２１ｂがオンされるとカーソルに表示している「大」、「中」又は「小」を確定し、カーソルを文字色欄に移動する。
【００３８】
次いで、選択キー２１ａがオンされる毎に「黒」、「赤」、「青」、「橙」又は「緑」に順次切替え、確定キー２１ｂがオンされるとカーソルに表示している「黒」、「赤」、「青」、「橙」又は「緑」を確定し、カーソルを装飾欄に移動する。
【００３９】
次いで、選択キー２１ａがオンされる毎に「有」又は「無」に交互に切替え、確定キー２１ｂがオンされるとカーソルに表示している「有」又は「無」を確定する。そして、「有」の場合には図９に示されるような装飾種類設定画面を表示し、一方、「無」の場合にはカーソルを表示項目欄に移動する。
【００４０】
次いで、装飾種類設定画面においては、現時点で設定にされている項目にカーソルを位置し、選択キー２１ａがオンされる毎に「装飾ａ」、「装飾ｂ」、「装飾ｃ」又は「装飾ｄ」まで順次カーソルの位置を切替え、確定キー２１ｂがオンされるとカーソルに表示している「装飾ａ」、「装飾ｂ」、「装飾ｃ」又は「装飾ｄ」を確定し、出力形式設定画面の表示項目欄にカーソルを移動する。
【００４１】
次いで、選択キー２１ａがオンされると図１０に示されるような表示項目設定画面を表示する。表示項目設定画面においては、始め「体脂肪率」の地点にカーソルを位置し、選択キー２１ａがオンされる毎に「体脂肪率」、「体重」、「内臓脂肪レベル」、「筋肉量」、「体水分量」、「基礎代謝量」、「骨量」、「体内年齢」の順にカーソルを移動し、この途中において確定キー２１ｂがオンされると、その時点に位置する地点の項目を囲みつつ確定する。そして、「体内年齢」の地点において選択キー２１ａがオンされると出力形式設定画面のカーソルを言語欄に移動する。また、この時、出力形式設定画面の表示項目欄には、表示項目設定画面において確定した項目の数を表示する。
【００４２】
次いで、選択キー２１ａがオンされる毎に「日本語」、「英語」、「仏語」、「独語」、「中国語」又は「韓国語」に順次切替え、確定キー２１ｂがオンされるとカーソルに表示している「日本語」、「英語」、「仏語」、「独語」、「中国語」又は「韓国語」を確定し、カーソルをグラフ欄に移動する。
【００４３】
次いで、選択キー２１ａがオンされる毎に「有」又は「無」に交互に切替え、確定キー２１ｂがオンされるとカーソルに表示している「有」又は「無」を確定する。そして、「有」の場合には図１１に示されるようなグラフ設定画面を表示し、一方、「無」の場合にはアドバイス欄にカーソルを移動する。
【００４４】
次いで、グラフ設定画面においては、現時点で設定にされている項目にカーソルを位置し、選択キー２１ａがオンされる毎に「折れ線」又は「棒」に交互にカーソルの位置を切替え、確定キー２１ｂがオンされるとカーソルに表示している「折れ線」又は「棒」を確定し、出力形式設定画面のアドバイス欄にカーソルを移動する。
【００４５】
次いで、アドバイス欄にカーソルを移動した場合には、選択キー２１ａがオンされる毎に「有」又は「無」に交互に切替え、確定キー２１ｂがオンされるとカーソルに表示している「有」又は「無」を確定し、カーソルを音声欄に移動する。
【００４６】
次いで、カーソルを音声欄に移動した場合には、選択キー２１ａがオンされる毎に「有」又は「無」に交互に切替え、確定キー２１ｂがオンされるとカーソルに表示している「有」又は「無」を確定する。そして、「有」の場合にはカーソルを声量欄に移動し、「無」の場合には出力形式の設定を終了する（ステップＳ３）。
【００４７】
次いで、声量欄にカーソルを移動した場合には、選択キー２１ａがオンされる毎に「大」、「中」又は「小」に順次切替え、確定キー２１ｂがオンされるとカーソルに表示している「大」、「中」又は「小」を確定し、カーソルを性別欄に移動する。
【００４８】
次いで、選択キー２１ａがオンされる毎に「女性」又は「男性」に交互に切替え、確定キー２１ｂがオンされるとカーソルに表示している「女性」又は「男性」を確定し、カーソルを言語欄に移動する。
【００４９】
次いで、選択キー２１ａがオンされる毎に「日本語」、「英語」、「仏語」、「独語」、「中国語」又は「韓国語」に順次切替え、確定キー２１ｂがオンされるとカーソルに表示している「日本語」、「英語」、「仏語」、「独語」、「中国語」又は「韓国語」を確定し、音声項目欄にカーソルを移動する。
【００５０】
次いで、選択キー２１ａがオンされると図１２に示されるような音声項目設定画面を表示する。音声項目設定画面においては、始め「体脂肪率」の地点にカーソルを位置し、選択キー２１ａがオンされる毎に「体脂肪率」、「体重」、「内臓脂肪レベル」、「筋肉量」、「体水分量」、「基礎代謝量」、「骨量」、「体内年齢」の順にカーソルを移動し、この途中において確定キー２１ｂがオンされると、その時点に位置する地点の項目を囲みつつ確定する。そして、「体内年齢」の地点において選択キー２１ａがオンされると出力形式の設定を終了する。また、この時、出力形式設定画面の音声項目欄には、音声項目設定画面において確定した項目の数を表示する（ステップＳ３）。
【００５１】
続いて、出力形式の設定が終了すると、対応関係設定制御部２０ｂにおいて、ステップ１で設定した割当番号とステップ２で設定した身体的特徴とを対応づけた関係に設定し、対応関係記憶部１７ａにおいて、割当番号と身体的特徴とを対応づけた関係について記憶する。また、ステップ１で設定した割当番号とステップ３で設定した出力形式とを対応づけた関係に設定し、対応関係記憶部１７ａにおいて、割当番号と出力形式とを対応づけた関係について記憶し（ステップＳ４）、一連の設定を終了する。
【００５２】
次に、図５に示す測定フローチャートを主として用いながら、本実施例における個人別出力形式カスタマイズ機能付き身体測定装置の操作及び動作について説明する。
【００５３】
まず、被測定者用として設定した測定開始キー２２がオンされると電力供給部１３において各電気系統各部に電力を供給する。そして、その被測定者が通電用電極２３ａ及び測定用電極２４ａを左足裏に、通電用電極２３ｂ及び測定用電極２４ｂを右足裏になるようにして載せ台１２に乗ると、荷重検出部１６において、その際に生ずる電圧を検出し、演算・制御部２０において、その被測定者の体重を求め、記憶部１７において、この求めた体重を記憶する。
【００５４】
次いで、演算・制御部２０において、電流供給部１４から発生した電流と電圧検出部１５によりその際に検出した電圧とに基づいて生体インピーダンスを求め、この求めた生体インピーダンスと、先に記憶した割当番号と身体的特徴とを対応づけた関係からその被測定者用の測定開始キー２２の割付番号に対応する身体的特徴とに基づいて、表示項目と音声項目とにおいて設定した体脂肪率、内臓脂肪レベル、筋肉量、体水分量、基礎代謝量、骨量、体内年齢について求める（ステップＳ１１）。例えば、図１０に示されるように表示項目として体脂肪率、体重、基礎代謝量、骨量が設定され、図１２に示されるように音声項目として内臓脂肪レベル、体内年齢が設定されている場合には、体脂肪率、内臓脂肪レベル、基礎代謝量、骨量、体内年齢について求める。
【００５５】
続いて、測定結果出力制御部２０ｃにおいて、対応関係記憶部１７ａに先に記憶した割当番号と出力形式とを対応づけた関係からその被測定者用の測定開始キー２２の割付番号に対応する出力形式を選択し、この選択した出力形式でもって、表示項目及び音声項目として先に求めた体脂肪率、体重、内臓脂肪レベル、筋肉量、体水分量、基礎代謝量、骨量、体内年齢のうちで該当するものについて表示部１８及び音声部１９に対して出力の制御する。そして、表示部１８においては、この制御に基づいた表示をし、また、音声部１９においては、この制御に基づいた発声し（ステップＳ１２）、一連の測定を終了する。例えば、図８、１０、１２に示されるように表示項目及び音声項目が設定された場合には、表示部１８においては、図１３（ｅ）に示されるような測定結果画面を表示し、音声部１９においては、内臓脂肪レベルと体内年齢とを女性の声で中ぐらい（通常会話するぐらい）の日本語により発声する。
【実施例２】
【００５６】
まず、図１４に示す外観図、図１５に示す外観図、図１６に示す要部ブロック図を主として用いながら、本実施例２における個人別出力形式カスタマイズ機能付き身体測定装置１５１の具体的な構成について説明する。
【００５７】
本実施例２における個人別出力形式カスタマイズ機能付き身体測定装置１５１は、ベース１１１と載せ台１１２を外体とする内部に、電力供給部１１３、電流供給部１１４、電圧検出部１１５、荷重検出部１１６、記憶部１１７（対応関係記憶部１１７ａ）、表示部１１８及び演算・制御部１２０（測定開始制御部１２０ａ、対応関係設定制御部１２０ｂ、測定結果出力制御部１２０ｃ）を備え、また、載せ台１１２の外面に、設定キー１２１、測定開始キー１２２、通電用電極１２３、測定用電極１２４、表示部１１８及び外部転送部１２６を備える。
【００５８】
ここで、ベース１１１、載せ台１１２、電力供給部１１３、電流供給部１１４、電圧検出部１１５、荷重検出部１１６、記憶部１１７（対応関係記憶部１１７ａ）、演算・制御部１２０（測定開始制御部１２０ａ、対応関係設定制御部１２０ｂ、測定結果出力制御部１２０ｃ）、設定キー１２１、測定開始キー１２２、通電用電極１２３及び測定用電極１２４は、実施例１におけるベース１１、載せ台１２、電力供給部１３、電流供給部１４、電圧検出部１５、荷重検出部１６、記憶部１７（対応関係記憶部１７ａ）、演算・制御部２０（測定開始制御部２０ａ、対応関係設定制御部２０ｂ、測定結果出力制御部２０ｃ）、設定キー２１、測定開始キー２２、通電用電極２３及び測定用電極２４に相当するもので、同様な働きをする。
【００５９】
表示部１１８は、設定キー２１により設定する際における設定に関する事項について表示する。
【００６０】
外部転送部１２６は、演算・制御部１２０により演算された身体指標（体重値、体脂肪率、内臓脂肪レベル、筋肉量、体水分量、基礎代謝量、骨量、体内年齢）の測定結果について設定されている出力形式によって出力するためのデータ（所定の外部機器が受信可能な形式の信号）を所定の外部機器（表示部や音声部を有する機器（例えば、テレビ１００１、パーソナルコンピュータ１００２、表示・音声機器１００３、携帯電話器１００６）、又は、表示部や音声部を有する機器にデータを転送する機器（例えば、中継器１００４，１００５）、又は、表示部や音声部を有する機器にデータを転送する電気通信回線システム１００７）に出力する。ここで、図１５の電気通信回線システム１００７においてＰ１及びＰ２はルータ、Ｐ３は基地局を示す。
【００６１】
より具体的には、外部転送部１２６は、外部機器への出力を無線通信によって行う通信部から成り、測定結果出力制御部１２０ｃによる制御に基づいて、身体指標の測定結果について設定されている出力形式によって出力するためのデータを、（ａ）テレビ１００１、パーソナルコンピュータ１００２又は表示・音声機器１００３に無線又は有線によって直接的に送信したり、（ｂ）テレビ１００１、パーソナルコンピュータ１００２又は表示・音声機器１００３にデータを無線又は有線によって転送する中継器１００５に無線又は有線によって間接的に送信したり、（ｃ）テレビ１００１、パーソナルコンピュータ１００２又は表示・音声機器１００３にデータをコネクタ接続によって転送する中継器１００４に無線、有線又はコネクタ接続によって間接的に送信したり、（ｄ）パーソナルコンピュータ１００２又は携帯電話器１００６にデータを転送する電気通信回線システム１００７（ルータＰ１）に無線又は有線によって間接的に送信したりする。
【００６２】
なお、測定開始キー１２２及び測定開始制御部１２０ａによる構成は、個人別測定開始手段１に該当する。また、設定キー１２１、対応関係設定制御部１２０ｂ及び対応関係記憶部１１７ａによる構成は、個人別出力形式カスタマイズ手段３に該当する。更に、測定結果出力制御部１２０ｃ及び測定結果出力部１２５による構成は、個人別測定結果出力手段４に該当する。
【００６３】
次に、本実施例２における個人別出力形式カスタマイズ機能付き身体測定装置１５１の操作及び動作について説明するが、本実施例２における設定の際の操作及び動作については、本実施例１で図４の設定フローチャートを用いて説明した設定の際の操作及び動作において、同じ名称の各部の符号を置き換えた内容であり、実施例１で説明した設定の際の操作及び動作と同様であるので説明を省略する。
【００６４】
本実施例２における測定の際の操作及び動作については、実施例１おける説明と同様に、図５に示す測定フローチャートを主として用いながら説明する。
【００６５】
まず、被測定者用として設定した測定開始キー１２２がオンされると電力供給部１１３において各電気系統各部に電力を供給する。そして、その被測定者が通電用電極１２３ａ及び測定用電極１２４ａを左足裏に、通電用電極１２３ｂ及び測定用電極１２４ｂを右足裏になるようにして載せ台１１２に乗ると、荷重検出部１１６において、その際に生ずる電圧を検出し、演算・制御部１２０において、その被測定者の体重を求め、記憶部１１７において、この求めた体重を記憶する。
【００６６】
次いで、演算・制御部１２０において、電流供給部１１４から発生した電流と電圧検出部１１５によりその際に検出した電圧とに基づいて生体インピーダンスを求め、この求めた生体インピーダンスと、先に記憶した割当番号と身体的特徴とを対応づけた関係からその被測定者用の測定開始キー１２２の割付番号に対応する身体的特徴とに基づいて、表示項目と音声項目とにおいて設定した体脂肪率、内臓脂肪レベル、筋肉量、体水分量、基礎代謝量、骨量、体内年齢について求める（ステップＳ１１）。例えば、図１０に示されるように表示項目として体脂肪率、体重、基礎代謝量、骨量が設定され、図１２に示されるように音声項目として内臓脂肪レベル、体内年齢が設定されている場合には、体脂肪率、内臓脂肪レベル、基礎代謝量、骨量、体内年齢について求める。
【００６７】
続いて、測定結果出力制御部１２０ｃにおいて、対応関係記憶部１１７ａに先に記憶した割当番号と出力形式とを対応づけた関係からその被測定者用の測定開始キー１２２の割付番号に対応する出力形式を選択し、この選択した出力形式でもって、表示項目及び音声項目として先に求めた体脂肪率、体重、内臓脂肪レベル、筋肉量、体水分量、基礎代謝量、骨量、体内年齢のうちで該当するものについて外部転送部１２６に対して所定の外部機器に出力するように制御する。そして、外部転送部１２６においては、この制御に基づいて所定の外部機器に出力し（ステップＳ１２）、一連の測定を終了する。これによって、所定の外部機器は、例えば、図８、１０、１２に示されるように表示項目及び音声項目が設定されたデータを受けた場合には、図１３（ｅ）に示されるような測定結果画面を表示し、また、内臓脂肪レベルと体内年齢とを女性の声で中ぐらい（通常会話するぐらい）の日本語により発声することができる。
【実施例３】
【００６８】
まず、図１７に示す外観図、図１８に示す要部ブロック図を主として用いながら、本実施例３における個人別出力形式カスタマイズ機能付き身体測定装置２５１の具体的な構成について説明する。
【００６９】
本実施例３における個人別出力形式カスタマイズ機能付き身体測定装置２５１は、本体２５１ａと表示ボックス２５１ｂとが結合・分離可能に構成する。そして、本体２５１ａは、ベース２１１と載せ台２１２を外体とする内部に、電力供給部２１３、電流供給部２１４、電圧検出部２１５、荷重検出部２１６、記憶部２３１及び演算・制御部２２０（測定開始制御部２２０ａ、通信制御部２２０ｂ）を備え、また、載せ台２１２の外面に、測定開始キー２２２、通電用電極２２３、測定用電極２２４及び通信部２２７を備える。また、表示ボックス２５１ｂは、ケース２３２の内部に、電力供給部２２９、記憶部２１７（対応関係記憶部２１７ａ）、音声部２１９及び演算・制御部２３０（通信制御部２３０ａ、対応関係設定制御部２３０ｂ、測定結果出力制御部２３０ｃ）を備え、また、ケース２３２の外面に、設定キー２２１、通信部２２８及び表示部２１８を備える。
【００７０】
ここで、本体２５１ａ側の各部について詳述する。
【００７１】
電力供給部２１３は、本体の電気系統各部に電力を供給する。
【００７２】
測定開始キー２２２は、複数２２２ａ、２２２ｂ、２２２ｃ、２２２ｄ、２２２ｅから成り、個別に作動するものであって、この個別の作動に基因して測定のために、電力供給部２１３に対して電力供給を開始させる。
【００７３】
電流供給部２１４は、演算・制御部２２０からの制御に基づき、身体に通電するために通電用電極間に電流を発生する。電圧検出部２１５は、通電用電極間に電流を流した際に測定用電極間に生ずる電圧を検出する。
【００７４】
通電用電極２２３は、対２２３ａ、２２３ｂを成し、身体に電流を流すための端子である。測定用電極２２４は、対２２４ａ、２２４ｂを成し、通電用電極間に電流を流した際に生ずる電圧を検出するための端子である。
【００７５】
荷重検出部２１６は、重量センサ、電圧増幅器、Ａ／Ｄ変換器から成り、被測定者が載せ台２１２に乗った際に作用する荷重（体重）に基づいて生ずる電圧を検出する。
【００７６】
記憶部２３１は、設定・測定・演算・表示などにおける諸情報について記憶する。
【００７７】
通信部２２７は、表示ボックス２５１ｂの通信部２２８と無線によって通信することにより、本体２５１ａにより得た測定情報を表示ボックス２５１ｂに送信する。
【００７８】
演算・制御部２２０は、測定開始制御部２２０ａ及び通信制御部２２０ｂを兼ねると共に、（i）電流供給部２１４から発生した電流と電圧検出部２１５によりその際に検出した電圧とに基づいて生体インピーダンスを演算し、またその制御をし、（ii）荷重検出部２１６からの検出信号に基づいて体重を演算し、またその制御し、（iii）その他諸情報等について演算及び制御をする。
【００７９】
測定開始制御部２２０ａは、２測定開始キー２２の各々の作動に基づいて個人各々の身体指標の測定を開始する。通信制御部２２０ｂは、先に演算した生体インピーダンスや体重についてのデータを表示ボックス２５１ａの通信部２２８に送信するように通信部２２７に対して制御する。
【００８０】
次いで、表示ボックス２５１ｂ側の各部について詳述する。
【００８１】
電力供給部２２９は、表示ボックス２５１ｂの電気系統各部に電力を供給する。
【００８２】
設定キー２２１は、選択キー２２１ａと確定キー２２１ｂとから成り、設定のために電力供給部２２９に対して電力供給を開始させ、個人各々が利用する測定開始キーと個人各々の好みの出力形式とについて設定する。また、個人各々の身体的特徴についても設定する。より具体的には、測定開始キーの設定は、割当番号（Ｎｏ.１〜５.）について選択・確定することにより行う。また、出力形式の設定は、表示の有無、音声の有無について選択・確定し、表示有りの場合には、文字サイズ（大、中、小）、文字色（黒、赤、青、橙、緑）、装飾（有無、有りの場合には装飾ａ〜ｄ）、表示項目（体脂肪率、体重、内臓脂肪レベル、筋肉量、体水分量、基礎代謝量、骨量、体内年齢）、言語（日本語、英語、仏語、独語、中国語、韓国語）、グラフ（折れ線、棒）、アドバイス（有無）について選択・確定し、音声の有りの場合には、声量（大、中、小）、性別（男性、女性）、言語（日本語、英語、仏語、独語、中国語、韓国語）、音声項目（体脂肪率、体重、内臓脂肪レベル、筋肉量、体水分量、基礎代謝量、骨量、体内年齢）について選択・確定することにより行う。更に、身体的特徴の設定は、性別（男性、女性）、年齢（０〜１００歳）、身長（１０〜２５０ｃｍ）について選択・確定することにより行う。
【００８３】
通信部２２８は、本体２５１ａの通信部２２７と無線によって通信することにより、本体２５１ａから測定情報を受信する。
【００８４】
記憶部２１７は、対応関係記憶部２１７ａを兼ねると共に、設定・測定・演算・表示などにおける諸情報について記憶する。
【００８５】
対応関係記憶部２１７ａは、後述する対応関係設定制御部２３０ｂにより設定した個人各々が利用する測定開始キー２２２と個人各々の好みの出力形式とを対応付けた関係、及び個人各々が利用する測定開始キー２２２と個人各々の身体的特徴とを対応付けた関係について記憶する。
【００８６】
表示部２１８は、設定キー２２１により設定する際における設定に関する事項について表示したり、演算・制御部２２０により演算された身体指標（体重値、体脂肪率、内臓脂肪レベル、筋肉量、体水分量、基礎代謝量、骨量、体内年齢）の測定結果について設定されている出力形式でもって表示したりする。
【００８７】
音声部２１９は、演算・制御部２２０により演算された身体指標（体重値、体脂肪率、内臓脂肪レベル、筋肉量、体水分量、基礎代謝量、骨量、体内年齢）の測定結果について設定されている出力形式でもって発声する。
【００８８】
なお、表示部２１８及び音声部２１９によって測定結果出力部２２５を構成する。
【００８９】
演算・制御部２３０は、通信制御部２３０ａ、対応関係設定制御部２３０ｂ及び測定結果出力制御部２３０ｃを兼ねると共に、（i）設定キー２２１による身体的特徴の設定の制御をし、（ii）個人各々が利用する測定開始キー２２２と個人各々の身体的特徴とを対応付けた関係から、測定開始制御部２２０ａにより身体指標の測定を開始する基因となった測定開始キー２２２に対応する身体的特徴を選択し、この選択した身体的特徴と演算した生体インピーダンスとに基づいて、身体指標（体重値、体脂肪率、内臓脂肪レベル、筋肉量、体水分量、基礎代謝量、骨量、体内年齢）を演算し、またその制御をし、（iii）その他諸情報等について演算及び制御をする。
【００９０】
通信制御部２３０ａは、本体２５１ａの通信部２２７から送信された生体インピーダンスや体重についてのデータを受信するように通信部２２８に対して制御する。対応関係設定制御部２３０ｂは、設定キー２２１により設定した個人各々が利用する測定開始キー２２２と個人各々の好みの出力形式とを対応付けた関係に設定し、また、個人各々が利用する測定開始キー２２２と個人各々の身体的特徴とを対応付けた関係に設定する。測定結果出力制御部２３０ｃは、対応関係記憶部２１７ａに記憶した個人各々が利用する測定開始キー２２２と個人各々の好みの出力形式とを対応付けた関係から、測定開始制御部２２０ａにより身体指標の測定を開始する基因となった測定開始キー２２２に対応する出力形式を選択し、選択した出力形式でもって身体指標の測定結果の出力の制御する。
【００９１】
なお、測定開始キー２２２及び測定開始制御部２２０ａによる構成は、個人別測定開始手段１に該当する。また、設定キー２２１、対応関係設定制御部２３０ｂ及び対応関係記憶部２１７ａによる構成は、個人別出力形式カスタマイズ手段３に該当する。更に、測定結果出力制御部２３０ｃ及び測定結果出力部２２５による構成は、個人別測定結果出力手段４に該当する。
【００９２】
次に、本実施例３における個人別出力形式カスタマイズ機能付き身体測定装置２５１の操作及び動作について説明するが、本実施例３における設定の際の操作及び動作については、実施例１で図４の設定フローチャートを用いて説明した設定の際の操作及び動作において、ベース１１、載せ台１２、電力供給部１３、電流供給部１４、電圧検出部１５、荷重検出部１６、記憶部１７、対応関係記憶部１７ａ、表示部１８、音声部１９、演算・制御部２０、測定開始制御部２０ａ、対応関係設定制御部２０ｂ、測定結果出力制御部２０ｃ、設定キー２１、測定開始キー２２、通電用電極２３、測定用電極２４とある箇所を、ベース２１１、載せ台２１２、電力供給部２２９、電流供給部２１４、電圧検出部２１５、荷重検出部２１６、記憶部２１７、対応関係記憶部２１７ａ、表示部２１８、音声部２１９、演算・制御部２３０、測定開始制御部２２０ａ、対応関係設定制御部２３０ｂ、測定結果出力制御部２３０ｃ、設定キー２２１、測定開始キー２２２、通電用電極２２３、測定用電極２２４と置き換えた内容であり、実施例１で説明した設定の際の操作及び動作と同様であるので説明を省略する。
【００９３】
本実施例３における測定の際の操作及び動作については、実施例１おける説明と同様に、図５に示す測定フローチャートを主として用いながら説明する。
【００９４】
まず、被測定者用として設定した測定開始キー２２２がオンされると電力供給部２１３において本体２５１ａの各電気系統各部に電力を供給する。また、表示ボックス２５１ｂの電力供給部２２９では常に表示ボックス２５１ｂの各電気系統部に電力を供給している。そして、その被測定者が通電用電極２２３ａ及び測定用電極２２４ａを左足裏に、通電用電極２２３ｂ及び測定用電極２２４ｂを右足裏になるようにして載せ台２１２に乗ると、荷重検出部２１６において、その際に生ずる電圧を検出し、演算・制御部２２０において、その被測定者の体重を求め、記憶部２３１において、この求めた体重を記憶する。また、演算・制御部２２０において、電流供給部２１４から発生した電流と電圧検出部２１５によりその際に検出した電圧とに基づいて生体インピーダンスを求め、記憶部２３１において、この求めた生体インピーダンスを記憶する。
【００９５】
次いで、通信制御部２２０ｂの制御により通信部２２７から記憶部２３１に記憶した体重及び生体インピーダンスを表示ボックス２５１ｂの通信部２２８に送信する。
【００９６】
次いで、表示ボックス２５１ｂの演算・制御部２３０において、通信部２２８で受信した体重及び生体インピーダンスと、先に記憶した割当番号と身体的特徴とを対応づけた関係からその被測定者用の測定開始キー２２２の割付番号に対応する身体的特徴とに基づいて、表示項目と音声項目とにおいて設定した体脂肪率、内臓脂肪レベル、筋肉量、体水分量、基礎代謝量、骨量、体内年齢について求める（ステップＳ１１）。例えば、図１０に示されるように表示項目として体脂肪率、体重、基礎代謝量、骨量が設定され、図１２に示されるように音声項目として内臓脂肪レベル、体内年齢が設定されている場合には、体脂肪率、内臓脂肪レベル、基礎代謝量、骨量、体内年齢について求める。
【００９７】
続いて、測定結果出力制御部２３０ｃにおいて、対応関係記憶部２１７ａに先に記憶した割当番号と出力形式とを対応づけた関係からその被測定者用の測定開始キー２２２の割付番号に対応する出力形式を選択し、この選択した出力形式でもって、表示項目及び音声項目として先に求めた体脂肪率、体重、内臓脂肪レベル、筋肉量、体水分量、基礎代謝量、骨量、体内年齢のうちで該当するものについて表示部２１８及び音声部２１９に対して出力の制御する。そして、表示部２１８においては、この制御に基づいた表示をし、また、音声部２１９においては、この制御に基づいた発声し（ステップＳ１２）、一連の測定を終了する。例えば、図８、１０、１２に示されるように表示項目及び音声項目が設定された場合には、表示部２１８においては、図１３（ｅ）に示されるような測定結果画面を表示し、音声部２１９においては、内臓脂肪レベルと体内年齢とを女性の声で中ぐらい（通常会話するぐらい）の日本語により発声する。
【実施例４】
【００９８】
まず、図１９に示す外観図、図２０に示す要部ブロック図を主として用いながら、本実施例４における個人別出力形式カスタマイズ機能付き身体測定装置３５１の具体的な構成について説明する。
【００９９】
本実施例４における個人別出力形式カスタマイズ機能付き身体測定装置３５１は、本体３５１ａと表示ボックス３５１ｂとが結合・分離可能に構成する。そして、本体３５１ａは、ベース３１１と載せ台３１２を外体とする内部に、電力供給部３１３、電流供給部３１４、電圧検出部３１５、荷重検出部３１６、記憶部３３１及び演算・制御部３２０（通信制御部３２０ｂ）を備え、また、載せ台３１２の外面に、通電用電極３２３、測定用電極３２４及び通信部３２７を備える。また、表示ボックス３５１ｂは、ケース３３２の内部に、電力供給部３２９、記憶部３１７（対応関係記憶部３１７ａ）、演算・制御部３３０（測定開始制御部３３０ａ、対応関係設定制御部３３０ｂ、測定結果出力制御部３３０ｃ、通信制御部３３０ｄ）及び音声部３１９を備え、また、ケース３３２の外面に、設定キー３２１、測定開始キー３２２、通信部３２８及び表示部３１８を備える。
【０１００】
ここで、ベース３１１、電力供給部３１３、電流供給部３１４、電圧検出部３１５、荷重検出部３１６、通電用電極３２３、測定用電極３２４、記憶部３３１、通信部３２８、電力供給部３２９、設定キー３２１、記憶部３１７（対応関係記憶部３１７ａ）、表示部３１８及び音声部３１９は、実施例３におけるベース２１１、電力供給部２１３、電流供給部２１４、電圧検出部２１５、荷重検出部２１６、通電用電極２２３、測定用電極２２４、記憶部２１７、通信部３２８、電力供給部３２９、設定キー３２１、記憶部３１７（対応関係記憶部３１７ａ）、表示部３１８及び音声部３１９に相当するもので、同様な働きをする。
【０１０１】
演算・制御部３２０は、通信制御部３２０ｂを兼ねると共に、（i）電流供給部３１４から発生した電流と電圧検出部３１５によりその際に検出した電圧とに基づいて生体インピーダンスを演算し、またその制御をし、（ii）荷重検出部３１６からの検出信号に基づいて体重を演算し、またその制御し、（iii）その他諸情報等について演算及び制御をする。
【０１０２】
測定開始キー３２２は、複数３２２ａ、３２２ｂ、３２２ｃ、３２２ｄ、３２２ｅから成り、個別に作動するものであって、この個別の作動に基因して測定のために、電力供給部３２９に対して電力供給を開始させる。
【０１０３】
演算・制御部３３０は、測定開始制御部３３０ａ、対応関係設定制御部３３０ｂ、測定結果出力制御部３３０ｃ及び通信制御部３３０ｄを兼ねると共に、（i）設定キー３２１による身体的特徴の設定の制御をし、（ii）個人各々が利用する測定開始キー３２２と個人各々の身体的特徴とを対応付けた関係から、測定開始制御部３２０ａにより身体指標の測定を開始する基因となった測定開始キー３２２に対応する身体的特徴を選択し、この選択した身体的特徴と演算した生体インピーダンスとに基づいて、身体指標（体重値、体脂肪率、内臓脂肪レベル、筋肉量、体水分量、基礎代謝量、骨量、体内年齢）を演算し、またその制御をし、（iii）その他諸情報等について演算及び制御をする。
【０１０４】
なお、測定開始キー３２２及び測定開始制御部３２０ａによる構成は、個人別測定開始手段１に該当する。また、設定キー３２１、対応関係設定制御部３３０ｂ及び対応関係記憶部３１７ａによる構成は、個人別出力形式カスタマイズ手段３に該当する。更に、測定結果出力制御部３３０ｃ及び測定結果出力部３２５による構成は、個人別測定結果出力手段４に該当する。
【０１０５】
次に、本実施例４における個人別出力形式カスタマイズ機能付き身体測定装置３５１の操作及び動作について説明するが、本実施例４における設定の際の操作及び動作については、実施例１で図４の設定フローチャートを用いて説明した設定の際の操作及び動作において、ベース１１、載せ台１２、電力供給部１３、電流供給部１４、電圧検出部１５、荷重検出部１６、記憶部１７、対応関係記憶部１７ａ、表示部１８、音声部１９、演算・制御部２０、測定開始制御部２０ａ、対応関係設定制御部２０ｂ、測定結果出力制御部２０ｃ、設定キー２１、測定開始キー２２、通電用電極２３、測定用電極２４とある箇所を、ベース３１１、載せ台３１２、電力供給部３２９、電流供給部３１４、電圧検出部３１５、荷重検出部３１６、記憶部３１７、対応関係記憶部３１７ａ、表示部３１８、音声部３１９、演算・制御部３３０、測定開始制御部３２０ａ、対応関係設定制御部３３０ｂ、測定結果出力制御部３３０ｃ、設定キー３２１、測定開始キー３２２、通電用電極３２３、測定用電極３２４と置き換えた内容であり、実施例１で説明した設定の際の操作及び動作と同様であるので説明を省略する。
【０１０６】
本実施例４における測定の際の操作及び動作については、実施例１おける説明と同様に、図５に示す測定フローチャートを主として用いながら説明する。
【０１０７】
まず、被測定者用として設定した測定開始キー３２２がオンされると電力供給部３２９において表示ボックス３５１ｂの各電気系統各部に電力を供給する。また、本体３５１ａの電力供給部３１３では常に本体３５１ａの各電気系統各部に電力を供給している。そして、その被測定者が通電用電極３２３ａ及び測定用電極３２４ａを左足裏に、通電用電極３２３ｂ及び測定用電極３２４ｂを右足裏になるようにして載せ台３１２に乗ると、荷重検出部３１６において、その際に生ずる電圧を検出し、演算・制御部３２０において、その被測定者の体重を求め、記憶部３３１において、この求めた体重を記憶する。また、演算・制御部３２０において、電流供給部３１４から発生した電流と電圧検出部３１５によりその際に検出した電圧とに基づいて生体インピーダンスを求め、記憶部３３１において、この求めた生体インピーダンスを記憶する。
【０１０８】
次いで、通信制御部３２０ｂの制御により通信部３２７から記憶部３３１に記憶した体重及び生体インピーダンスを表示ボックス３５１ｂの通信部３２８に送信する。
【０１０９】
次いで、表示ボックス３５１ｂの演算・制御部３３０において、通信部３２８で受信した体重及び生体インピーダンスと、先に記憶した割当番号と身体的特徴とを対応づけた関係からその被測定者用の測定開始キー３２２の割付番号に対応する身体的特徴とに基づいて、表示項目と音声項目とにおいて設定した体脂肪率、内臓脂肪レベル、筋肉量、体水分量、基礎代謝量、骨量、体内年齢について求める（ステップＳ１１）。例えば、図１０に示されるように表示項目として体脂肪率、体重、基礎代謝量、骨量が設定され、図１２に示されるように音声項目として内臓脂肪レベル、体内年齢が設定されている場合には、体脂肪率、内臓脂肪レベル、基礎代謝量、骨量、体内年齢について求める。
【０１１０】
続いて、測定結果出力制御部３３０ｃにおいて、対応関係記憶部３１７ａに先に記憶した割当番号と出力形式とを対応づけた関係からその被測定者用の測定開始キー３２２の割付番号に対応する出力形式を選択し、この選択した出力形式でもって、表示項目及び音声項目として先に求めた体脂肪率、体重、内臓脂肪レベル、筋肉量、体水分量、基礎代謝量、骨量、体内年齢のうちで該当するものについて表示部３１８及び音声部３１９に対して出力の制御する。そして、表示部３１８においては、この制御に基づいた表示をし、また、音声部３１９においては、この制御に基づいた発声し（ステップＳ１２）、一連の測定を終了する。例えば、図８、１０、１２に示されるように表示項目及び音声項目が設定された場合には、表示部３１８においては、図１３（ｅ）に示されるような測定結果画面を表示し、音声部３１９においては、内臓脂肪レベルと体内年齢とを女性の声で中ぐらい（通常会話するぐらい）の日本語により発声する。
【０１１１】
本実施例のように構成した個人別出力形式カスタマイズ機能付き身体測定装置によると、これを利用する複数の被測定者に対して、各々の被測定者の好みの出力形式で、身体指標についての測定結果を知らせることができる。例えば、祖母、父、母、息子、娘の家族で本装置を利用する場合に、祖母は測定開始キーＮｏ.３、父は測定開始キーＮｏ.１、母は測定開始キーＮｏ.２、息子は測定開始キーＮｏ.４、娘は測定開始キーＮｏ.５に、各々の好みの出力形式を測定前に事前に設定することによって、祖母は図１３（ｃ）、父は図１３（ａ）、母は図１３（ｂ）、息子は図１３（ｄ）、娘は図１３（ｅ）といった別々の出力形式の測定結果画面の表示を得ることができる。
【図面の簡単な説明】
【０１１２】
【図１】個人別出力形式カスタマイズ機能付き身体測定装置の構成を機能的に示す機能的ブロック図である。
【図２】個人別出力形式カスタマイズ機能付き身体測定装置の外観構成を示す外観図である。（実施例１）
【図３】個人別出力形式カスタマイズ機能付き身体測定装置を構成する要部について示す腰部ブロック図である。（実施例１）
【図４】個人別出力形式カスタマイズ機能付き身体測定装置の設定時における操作及び動作の手順を示す設定フローチャートである。（実施例１、２、３、４）
【図５】個人別出力形式カスタマイズ機能付き身体測定装置の測定時における操作及び動作の手順を示す測定フローチャートである。（実施例１、２、３、４）
【図６】個人別出力形式カスタマイズ機能付き身体測定装置の測定開始キーの設定時における画面を示す測定開始キー設定画面図である。（実施例１、２、３、４）
【図７】個人別出力形式カスタマイズ機能付き身体測定装置の身体的特徴の設定時における画面を示す身体的特徴設定画面図である。（実施例１、２、３、４）
【図８】個人別出力形式カスタマイズ機能付き身体測定装置の出力形式の設定時における画面を示す出力形式設定画面図である。（実施例１、２、３、４）
【図９】個人別出力形式カスタマイズ機能付き身体測定装置の装飾の設定時における画面を示す装飾種類設定画面図である。（実施例１、２、３、４）
【図１０】個人別出力形式カスタマイズ機能付き身体測定装置の表示項目の設定時における画面を示す表示項目設定画面である。（実施例１、２、３、４）
【図１１】個人別出力形式カスタマイズ機能付き身体測定装置のグラフの設定時における画面を示すグラフ設定画面である。（実施例１、２、３、４）
【図１２】個人別出力形式カスタマイズ機能付き身体測定装置の音声項目の設定時における画面を示す音声項目設定画面である。（実施例１、２、３、４）
【図１３】個人別出力形式カスタマイズ機能付き身体測定装置の測定結果時における画面を示す測定結果画面である。（実施例１、２、３、４）
【図１４】個人別出力形式カスタマイズ機能付き身体測定装置の外観構成を示す外観図である。（実施例２）
【図１５】個人別出力形式カスタマイズ機能付き身体測定装置の外観構成を示す外観図である。（実施例２）
【図１６】個人別出力形式カスタマイズ機能付き身体測定装置を構成する要部について示す腰部ブロック図である。（実施例２）
【図１７】個人別出力形式カスタマイズ機能付き身体測定装置の外観構成を示す外観図である。（実施例３）
【図１８】個人別出力形式カスタマイズ機能付き身体測定装置を構成する要部について示す腰部ブロック図である。（実施例３）
【図１９】個人別出力形式カスタマイズ機能付き身体測定装置の外観構成を示す外観図である。（実施例４）
【図２０】個人別出力形式カスタマイズ機能付き身体測定装置を構成する要部について示す腰部ブロック図である。（実施例４）
【符号の説明】
【０１１３】
１  個人別測定開始手段
２  身体測定手段
３  個人別出力形式カスタマイズ手段
４  個人別測定結果出力手段
１１、１１１、２１１、３１１  ベース
１２、１１２、２１２、３１２  載せ台
１３、１１３、２１３、２２９、３１３、３２９  電力供給部
１４、１１４、２１４、３１４  電流供給部
１５、１１５、２１５、３１５  電圧検出部
１６、１１６、２１６、３１６  荷重検出部
１７、１１７、２１７、２３１、３１７、３３１  記憶部
１７ａ、１１７ａ、２１７ａ、３１７ａ  対応関係記憶部
１８、１１８、２１８、３１８  表示部
１９、２１９、３１９  音声部
２０、１２０、２２０、２３０、３２０、３３０  演算・制御部
２０ａ、１２０ａ、２２０ａ、３３０ａ  測定開始制御部
２０ｂ、１２０ｂ、２３０ｂ、３３０ｂ  対応関係設定制御部
２０ｃ、１２０ｃ、２３０ｃ、３３０ｃ  測定結果出力制御部
２２０ｂ、２３０ａ、３２０ｂ、３３０ｄ  通信制御部
２１、１２１、２２１、３２１  設定キー
２１ａ、１２１ａ、２２１ａ、３２１ａ  選択キー
２１ｂ、１２１ｂ、２２１ｂ、３２１ｂ  確定キー
２２（２２ａ、２２ｂ、２２ｃ、２２ｄ、２２ｅ）、１２２（１２２ａ、１２２ｂ、１２２ｃ、１２２ｄ、１２２ｅ）、２２２（２２２ａ、２２２ｂ、２２２ｃ、２２２ｄ、２２２ｅ）、３２２（３２２ａ、３２２ｂ、３２２ｃ、３２２ｄ、３２２ｅ）  測定開始キー
２３（２３ａ、２３ｂ）、１２３（１２３ａ、１２３ｂ）、２２３（２２３ａ、２２３ｂ）、３２３（３２３ａ、３２３ｂ）  通電用電極
２４（２４ａ、２４ｂ）、１２４（１２４ａ、１２４ｂ）、２２４（２２４ａ、２２４ｂ）、３２４（３２４ａ、３２４ｂ）  測定用電極
２５、１２５、２２５、３２５  測定結果出力部
１２６  外部転送部
２２７、２２８  通信部
２５１ａ、３５１ａ  本体
２５１ｂ、３５１ｂ  表示ボックス
【図１】
2008104849.tif 000003
【図２】
2008104849.tif 000004
【図３】
2008104849.tif 000005
【図４】
2008104849.tif 000006
【図５】
2008104849.tif 000007
【図６】
2008104849.tif 000008
【図７】
2008104849.tif 000009
【図８】
2008104849.tif 000010
【図９】
2008104849.tif 000011
【図１０】
2008104849.tif 000012
【図１１】
2008104849.tif 000013
【図１２】
2008104849.tif 000014
【図１３】
2008104849.tif 000015
【図１４】
2008104849.tif 000016
【図１５】
2008104849.tif 000017
【図１６】
2008104849.tif 000018
【図１７】
2008104849.tif 000019
【図１８】
2008104849.tif 000020
【図１９】
2008104849.tif 000021
【図２０】
2008104849.tif 000022